(57)【要約】      （修正有）【課題】真円度が高く、不規則な飛行やバウンドや回転などの運動が従来より減少されるソフトテニスボールを提供する。【解決手段】内部空間４を囲むように中空に形成されて内部空間４が気体に充満されると中空円球状になるボール体２と、ボール体２に取付けられる空気注入手段３とを具えたソフトテニスボールであって、空気注入手段３は、ボール体２の内部空間４に向う内周面２２から内部空間４へ延伸すると共に、内部空間４の反対側にある外部から気体を受け入れ、且つ内部空間４にある気体が前記外部へ漏れることを阻止することができるように構成された柱状のバルブ体３１を有し、バルブ体３１の内周面２２に向う端面が前記中空円球状に対応する球面に形成されていることを特徴とするソフトテニスボール。【選択図】図４
0003193119.tif 000002
【実用新案登録請求の範囲】
【請求項１】
内部空間を囲むように中空に形成されて前記内部空間が気体に充満されると中空円球状になるボール体と、前記ボール体に取付けられる空気注入手段とを具えたソフトテニスボールであって、
前記空気注入手段は、前記ボール体の前記内部空間に向う内周面から前記内部空間へ延伸すると共に、前記内部空間の反対側にある外部から気体を受け入れ、且つ前記内部空間にある気体が前記外部へ漏れることを阻止することができるように構成された柱状のバルブ体を有し、前記バルブ体の前記内周面に向う端面が前記中空円球状に対応する球面に形成されていることを特徴とするソフトテニスボール。
【請求項２】
前記空気注入手段は、一定の厚さを有すると共に、前記バルブ体の前記内周面に向う端部の周縁から張り出すフランジを更に有し、
前記フランジの前記内周面に向う端面は、前記バルブ体の前記内周面に向う端面と連続し、且つ前記中空円球状に対応する球面に形成されていることを特徴とする請求項１に記載のソフトテニスボール。
【請求項３】
前記内周面には、前記空気注入手段における前記内周面に向う端面の範囲、及び前記フランジの前記厚さに対応して凹陥するように形成された収容スロットを有しており、
前記空気注入手段は、前記バルブ体の前記内周面に向う端部及び前記フランジが前記収容スロット内に収容されるように前記ボール体に取付けられていることを特徴とする請求項２に記載のソフトテニスボール。
【請求項４】
前記ボール体は、前記空気注入手段が取付けられている一端部の反対側にある反対端部が他の部分より厚くなるように形成されていることを特徴とする請求項１〜請求項３のいずれか一項に記載のソフトテニスボール。
【請求項５】
前記空気注入手段は、前記バルブ体から前記ボール体へ突起して前記ボール体を挿通する空気注入突起を更に有し、
前記空気注入突起には、前記内部空間の反対側にある外部と前記バルブ体とを連通する注気ピン通路が形成されていることを特徴とする請求項１〜請求項４のいずれか一項に記載のソフトテニスボール。
【請求項６】
前記バルブ体と、前記空気注入突起とは、同一の軸線に沿って互いに反対する方向へ延伸するようにそれぞれ形成されていることを特徴とする請求項５に記載のソフトテニスボール。
【考案の詳細な説明】
【技術分野】
【０００１】
本考案はソフトテニスボールに関し、特に空気注入式のソフトテニスボールに関する。
【背景技術】
【０００２】
従来の空気注入式のソフトテニスボールは、図１と図２に示されるように、気体に充満され、内部空間１３を囲むように中空に形成されるボール体１１と、ボール体１１に取り付けられる空気注入バルブ１２とを有する。空気注入バルブ１２は、ボール体１１の表面から、内部空間１３に延伸されているバルブ部１２２と、バルブ部１２２の周縁から張り出し、ボール体１１の内部空間１３に面する内周面１４に接合される接合部１２１と、を有するように構成される。
【０００３】
しかし、接合部１２１のボール体１１に接合する面は通常平面に形成されているので、該ソフトテニスボールにおける空気注入バルブ１２が取付けられる箇所の外周面も、接合部１２１とボール体１１に接合する面の形状に応じて平面１９になる。従って、該ソフトテニスボールの真円度は平面１９の存在によって低減され、該ソフトテニスボールの飛行やバウンドや回転などの運動が真円度に影響されて、不規則な動きが増え、このようなソフトテニスボールを用いる試合や練習に悪影響を与える欠点がある。
【考案の概要】
【考案が解決しようとする課題】
【０００４】
上記問題点に鑑みて、本考案は真円度が高く、不規則な運動が従来の空気注入バルブを使用するソフトテニスボールより減少されるソフトテニスボールの提供を目的とする。
【課題を解決するための手段】
【０００５】
上記目的を達成すべく、本考案は、内部空間を囲むように中空に形成されて前記内部空間が気体に充満されると中空円球状になるボール体と、前記ボール体に取付けられる空気注入手段とを具えたソフトテニスボールであって、前記空気注入手段は、前記ボール体の前記内部空間に向う内周面から前記内部空間へ延伸すると共に、前記内部空間の反対側にある外部から気体を受け入れ、且つ前記内部空間にある気体が前記外部へ漏れることを阻止することができるように構成された柱状のバルブ体を有し、前記バルブ体の前記内周面に向う端面が前記中空円球状に対応する球面に形成されていることを特徴とするソフトテニスボールを提供する。
【０００６】
上記ソフトテニスボールにおいて、前記空気注入手段は、一定の厚さを有すると共に、前記バルブ体の前記内周面に向う端部の周縁から張り出すフランジを更に有し、前記フランジの前記内周面に向う端面は、前記バルブ体の前記内周面に向う端面と連続し、且つ前記中空円球状に対応する球面に形成されていることが好ましい。
【０００７】
上記ソフトテニスボールにおいて、前記内周面には、前記空気注入手段における前記内周面に向う端面の範囲、及び前記フランジの前記厚さに対応して凹陥するように形成された収容スロットを有しており、前記空気注入手段は、前記バルブ体の前記内周面に向う端部及び前記フランジが前記収容スロット内に収容されるように前記ボール体に取付けられていることが好ましい。
【０００８】
上記ソフトテニスボールにおいて、前記ボール体は、前記空気注入手段が取付けられている一端部の反対側にある反対端部が他の部分より厚くなるように形成されていることが好ましい。
【０００９】
上記ソフトテニスボールにおいて、前記空気注入手段は、前記バルブ体から前記ボール体へ突起して前記ボール体を挿通する空気注入突起を更に有し、前記空気注入突起には、前記内部空間の反対側にある外部と前記バルブ体とを連通する注気ピン通路が形成されていることが好ましい。
【００１０】
上記ソフトテニスボールにおいて、前記バルブ体と、前記空気注入突起とは、同一の軸線に沿って互いに反対する方向へ延伸するようにそれぞれ形成されていることが好ましい。
【考案の効果】
【００１１】
上記の構成によれば、本考案のソフトテニスボールは、空気注入手段のバルブ体のボール体に取り付けられる端面が、ボール体の中空円球状に対応する球面に形成されているので、真円度が従来の空気注入バルブを使用するソフトテニスボールより高く、ボールの不規則な動きを減少できる。
【図面の簡単な説明】
【００１２】
【図１】従来のソフトテニスボールの一例が示される斜視図である。
【図２】従来のソフトテニスボールの一例の断面図である。
【図３】本考案のソフトテニスボールの好ましい実施形態が示される斜視図である。
【図４】本考案のソフトテニスボールの好ましい実施形態が示される断面図である。
【考案を実施するための形態】
【００１３】
以下は添付の図面を参照しながら、本考案の好ましい実施形態について説明する。
【００１４】
本考案のソフトテニスボールの好ましい実施形態は、図３に示されるように、内部空間４を囲むように中空に形成されて、内部空間４が気体（通常は空気）に充満されると中空円球状になるボール体２と、ボール体２に取付けられる空気注入手段３とを具えている。
【００１５】
ボール体２は、例えばゴムなどの弾性材料により作成されており、内部空間４に向う内周面２２を有する。また、ボール体２の空気注入手段３が取付けられている一端部の反対側にある反対端部は、ボールの全体の重量のバランスを取るため、他のボール体２の部分より厚くなるように形成されている。
【００１６】
空気注入手段３は、バルブ体３１とフランジ３２と空気注入突起３３とにより構成されている。
【００１７】
バルブ体３１は、図４に示されるように、バルブ体３１の内周面２２に向う端面が前記中空円球状に対応する球面に形成されている柱状のものであり、また、内周面２２から内部空間４へ延伸すると共に、内部空間４の反対側にある外部から気体を受け入れ、且つ内部空間４にある気体が前記外部へ漏れることを阻止することができるように構成されている。
【００１８】
気体を内部空間４に受け入れることができ、且つ受け入れた気体の漏れを阻止する機能を発揮する構成例は、例えばこの実施形態では、バルブ体３１が、ゴムにより円柱状に作成された上、該円柱の一端から他端まで延伸し、拡張されない限り空気の通過を阻止することができる細長い通気溝３１１を有するように形成されている。
【００１９】
フランジ３２は、図３と図４に示されるように、一定の厚さを有すると共に、空気注入手段３のボール体２に対する接合力を向上するために、バルブ体３１の内周面２２に向う端部の周縁から張り出し、更に、フランジ３２の内周面２２に向う端面は、バルブ体３１の内周面２２に向う端面と連続し、且つ前記中空円球状に対応する球面に形成されている。
【００２０】
空気注入突起３３は、図４に示されるように、バルブ体３１からボール体２へ、バルブ体３１と同一の軸線に沿って突起されてボール体２を挿通するように形成され、更に、空気をボール体２の内部空間４に注入するための空気注入ピンの針先を通気溝３１１に案内することができるよう、内部空間４の反対側にある外部とバルブ体３１の通気溝３１１とを連通する注気ピン通路３３１が形成されている。
【００２１】
この構成により、空気注入ピンが空気注入突起３３の注気ピン通路３３１を経由してバルブ体３１の通気溝３１１に挿し込まれると、通気溝３１１を拡張する上通気溝３１１を経由して空気をボール体２の内部空間４に注入することができ、そして空気注入ピンが通気溝３１１及び注気ピン通路３３１から抜かれると、通気溝３１１は元の孔径に戻って空気の通過、即ち内部空間４にある空気が外部へ漏れることを阻止することができる。
【００２２】
更に、ボール体２の内周面２２は、図４に示されるように、空気注入手段３におけるボール体２に向う端面の範囲、及びフランジ３２の前記厚さに対応して凹陥するように形成された収容スロット２１を有している。そして、空気注入手段３は、バルブ体３１の内周面２２に向う端部及びフランジ３２が収容スロット２１内に収容されるようにボール体２に取付けられている。
【００２３】
なお、本考案のソフトテニスボールの製造方法について、一般的に、先ず空気注入手段３を作成し、そして、作成した空気注入手段３を、ボール体２形成用の型枠に配置して、ボール体２の原料を該型枠に注入して、該原料の粘着性で空気注入手段３を接合し、ソフトテニスボールを作成する。
【００２４】
上記の構成によれば、本考案のソフトテニスボールは、空気注入手段３のバルブ体３１及びフランジ３２のボール体２に取り付けられる端面が、ボール体２の中空円球状に対応する球面に形成されているので、従来のソフトテニスボールのように平面が形成されることがなくなり、真円度が従来のソフトテニスボールより高く、ボールの不規則な飛行やバウンドや回転などの運動を減少できる。
【００２５】
また、ソフトテニスボールの重量のバランスを維持するために、ボール体２の空気注入手段３が取付けられている一端部の反対側にある反対端部が、他のボール体２の部分より厚くなるように形成されているので、ボールの運動が重心のずれに影響されることが少なくなり、更に、ボールの不規則の運動が減少するソフトテニスボールを提供できる。
【産業上の利用可能性】
【００２６】
本考案のソフトテニスボールは、ボールの真円度が高いので、ボールの不規則な飛行やバウンドや回転などの運動を減少できるので、ソフトテニスの試合または練習に好適である。
【符号の説明】
【００２７】
２  ボール体
２１  収容スロット
２２  内周面
３  空気注入手段
４  内部空間
３１  バルブ体
３１１  通気溝
３２  フランジ
３３  空気注入突起
３３１  注気ピン通路
【図１】
0003193119.tif 000003
【図２】
0003193119.tif 000004
【図３】
0003193119.tif 000005
【図４】
0003193119.tif 000006